(57)【特許請求の範囲】
【請求項１】
被検者の左右の被検眼の機能を測定可能な左検眼ユニット及び右検眼ユニットと、
前記各検眼ユニットをそれぞれ前記各被検眼に対し三次元方向に移動させる左駆動手段及び右駆動手段と、
前記各検眼ユニットをそれぞれ前記各被検眼に対し、鉛直軸を中心に回転駆動される左水平回転装置及び右水平回転装置と、
前記各駆動手段及び各水平回転装置を駆動制御して前記各被検眼に対するアライメントをする制御手段を有する検眼装置であって、
前記制御手段は、前記一方の駆動手段により前記一方の検眼ユニットの一方の被検眼に対するアライメントが完了したとき、前記一方の駆動手段の駆動データに基づいて他方の駆動手段を駆動制御して、他方の検眼ユニットの他方の被検眼に対するアライメント行うことを特徴とする検眼装置。
【請求項２】
請求項１に記載の検眼装置において、前記制御手段は、前記両駆動手段による前記両検眼ユニットの左右の被検眼に対する同じ駆動量のアライメント操作に伴い、前記一方の駆動手段により前記一方の検眼ユニットの一方の被検眼に対するアライメントが完了したとき、前記一方の駆動手段の駆動データに基づいて他方の駆動手段を左右方向に所定範囲だけ駆動制御して、他方の検眼ユニットの他方の被検眼に対するアライメント行うことを特徴とする検眼装置。
【請求項３】
請求項１又は２に記載の検眼装置において、被検者情報に応じたＰＤ値のデータベースと、前記被検者情報を入力する情報入力手段を有すると共に、前記制御手段は、前記情報入力手段により入力される被検者情報がＰＤ値である場合、ＰＤ値に基づいて前記両駆動手段を駆動制御することにより、前記左検眼ユニット及び右検眼ユニットから被検眼に向かう光軸間の距離を前記入力されたＰＤ値に設定することを特徴とする検眼装置。
【請求項４】
請求項１又は２に記載の検眼装置において、被検者情報に応じたＰＤ値のデータベースと、前記被検者情報を入力する情報入力手段を有すると共に、前記制御手段は、前記情報入力手段から入力される被検者情報が年齢や性別である場合、前記年齢や性別に応じたＰＤ値を前記データベースから読み出して、該読み出したＰＤ値に基づいて前記両駆動手段を駆動制御することにより、前記左検眼ユニット及び右検眼ユニットから被検眼に向かう光軸間の距離を前記読み出したＰＤ値に設定することを特徴とする検眼装置。
【発明の詳細な説明】
【０００１】
【発明の属する技術分野】
この発明は、被検眼の検査を行う検眼装置に関するものである。
【０００２】
【従来の技術】
従来からこの種の検眼装置としては被検眼の眼屈折力を測定する眼屈折力測定装置がある。この眼屈折力測定装置としては、特開２０００−８３９００号公報に開示されたような検眼装置が知られている。この公報に開示された検眼装置は左右の測定光学系を有する。この各測定光学系は、視標手段と、左右方向に駆動可能に設けられたミラー台と、このミラー台に支持され且つ視標手段からの指標光を被検者の眼に入射させる角度可変ミラーを備えている。しかも、この検眼装置では、被検者の左眼及び右眼が左右の角度可変ミラーを介して左右の視標手段をそれぞれ視認することができる様になっている。また、この検眼装置では、左右のミラー台を相対接近・離反駆動することで、角度可変ミラーの間隔を被検眼の眼幅に合うように調整できるようになっている。
【０００３】
【発明が解決しようとする課題】
しかしながら、この様な眼屈折力測定装置を検者なしで使用可能にするのは、アライメントの関係で難しいものがあった。
【０００４】
即ち、この様な装置において、眼屈折力測定や両眼視機能等の測定を行う場合、瞳孔間距離が僅かに異なるだけでも、被検者は左右の角度可変ミラーを介して左右の視標手段を左右の被検眼でそれぞれ覗くことは困難である。従って、被検者は、測定を開始する前に、左右の角度可変ミラーから左右の被検眼にそれぞれ向かう光軸を左右の被検眼の光軸に合わせる必要がある。しかし、この様な光軸合わせを素人の被検者に要求することは難しいものである。
【０００５】
この様な装置にオートアライメント機構を設けて、被検者が瞳孔間距離を気にせずに、左右の角度可変ミラーから左右の被検眼にそれぞれ向かう光軸を左右の被検眼の光軸に合わせて、測定をすることができるようにすることも考えられる。この場合、被検者のＰＤ値が予め分かっている場合や、被検者の測定したＰＤ値がある場合であって、このＰＤ値のデータをを利用して、左右の角度可変ミラーから左右の被検眼にそれぞれ向かう光軸を左右の被検眼の光軸に合わせることができれば、光軸合わせを素人の被検者に要求することなく被検眼に対する装置のアライメントを容易に行うことができる。
【０００６】
しかし、オートアライメント機構によるオートアライメントの開始範囲は左右の被検眼の光軸に対して非常に狭い範囲であり、しかも、このオートアライメントの開始範囲に左右の角度可変ミラーから左右の被検眼にそれぞれ向かう光軸を被検者が操作する場合、左右の角度可変ミラーを左右上下において調整する必要があるため、オートアライメントの開始範囲に左右の角度可変ミラーから左右の被検眼にそれぞれ向かう光軸を被検者が移動操作することは非常に難しいものであった。
【０００７】
そこで、本願発明は、被検者が左右の検眼ユニットの左右の被検眼に対するアライメントを容易に行うことができる検眼装置を提供することを目的とするものである。
【０００８】
【課題を解決するための手段】
この目的を達成するため、請求項１の発明は、被検者の左右の被検眼の機能を測定可能な左検眼ユニット及び右検眼ユニットと、前記各検眼ユニットをそれぞれ前記各被検眼に対し三次元方向に移動させる左駆動手段及び右駆動手段と、前記各検眼ユニットをそれぞれ前記各被検眼に対し、鉛直軸を中心に回転駆動される左水平回転装置及び右水平回転装置と、前記各駆動手段及び各水平回転装置を駆動制御して前記各被検眼に対するアライメントをする制御手段を有する検眼装置であって、前記制御手段は、前記一方の駆動手段により前記一方の検眼ユニットの一方の被検眼に対するアライメントが完了したとき、前記一方の駆動手段の駆動データに基づいて他方の駆動手段を駆動制御して、他方の検眼ユニットの他方の被検眼に対するアライメント行う検眼装置としたことを特徴とする。
【０００９】
また、請求項２の発明は、請求項１に記載の検眼装置において、前記制御手段は、前記両駆動手段による前記両検眼ユニットの左右の被検眼に対する同じ駆動量のアライメント操作に伴い、前記一方の駆動手段により前記一方の検眼ユニットの一方の被検眼に対するアライメントが完了したとき、前記一方の駆動手段の駆動データに基づいて他方の駆動手段を左右方向に所定範囲だけ駆動制御して、他方の検眼ユニットの他方の被検眼に対するアライメント行うことを特徴とする。
【００１０】
更に、請求項３の発明は、請求項１又は２に記載の検眼装置において、請求項１又は２に記載の検眼装置において、被検者情報に応じたＰＤ値のデータベースと、前記被検者情報を入力する情報入力手段を有すると共に、前記制御手段は、前記情報入力手段により入力される被検者情報がＰＤ値である場合、ＰＤ値に基づいて前記両駆動手段を駆動制御することにより、前記左検眼ユニット及び右検眼ユニットから被検眼に向かう光軸間の距離を前記入力されたＰＤ値に設定することを特徴とする。
また、請求項４の発明は、請求項１又は２に記載の検眼装置において、被検者情報に応じたＰＤ値のデータベースと、前記被検者情報を入力する情報入力手段を有すると共に、前記制御手段は、前記情報入力手段から入力される被検者情報が年齢や性別である場合、前記年齢や性別に応じたＰＤ値を前記データベースから読み出して、該読み出したＰＤ値に基づいて前記両駆動手段を駆動制御することにより、前記左検眼ユニット及び右検眼ユニットから被検眼に向かう光軸間の距離を前記読み出したＰＤ値に設定することを特徴とする。
【００１１】
【発明の実施の形態】
以下、この発明の実施の形態を図面に基づいて説明する。
【００１２】
図１において、１は高さが上下調節可能な検眼テーブル、２は検眼テーブル１上に配設された検眼装置、３は検眼椅子、４は検眼椅子３に着座した被検者である。
【００１３】
検眼装置２は、図１〜図７に示したように、起立部５ａ及び上部の水平部５ｂから逆Ｌ字状に形成されたボックス本体５と、この起立部５ａの正面の左右両側部に一体に設けられ且つ手前側に延びる扁平支持部６，７を有する。また、検眼装置２は、左の扁平支持部６に設けられたカーソルキー（カーソル釦）８，９，１０，１１と、右の扁平支持部７に設けられたジョイステックレバー１２を有する。このジョイステックレバー１２の上端部には押釦スイッチ１２ａが設けられている。
【００１４】
更に、検眼装置２は、水平部５ａの中央部の下面に下方に向けて取り付けられたステー１３と、ステー１３に突設された支持軸１４と、支持軸１４に取り付けられた円弧状の額当１５と、額当１５の左右にそれぞれ配設された左検眼ユニット（左眼検査ユニット）１６Ｌ及び右検眼ユニット（右眼検査ユニット）１６Ｒを有する。
【００１５】
この検眼ユニット１６Ｌ，１６Ｒは、三次元方向に駆動可能な支持手段１７Ｌ，１７Ｒでそれぞれ水平部５ａに支持されている。この支持手段１７Ｌは水平部５ａ内に配設された三次元駆動装置（三次元駆動機構，左駆動手段）１８Ｌと、三次元駆動手段である三次元駆動装置１８Ｌの下方に配設された水平回転装置（水平回転駆動装置）１９Ｌを有する。また、支持手段１７Ｒは水平部５ａ内に配設された三次元駆動装置（三次元駆動機構，右駆動手段）１８Ｒと、三次元駆動手段である三次元駆動装置１８Ｒの下方に配設された水平回転装置（水平回転駆動装置）１９Ｒを有する。
＜三次元駆動装置＞
三次元駆動装置（三次元駆動手段）１８Ｌ，１８Ｒは、パルスモータや油圧シリンダ等を用いて支持軸２０ａを上下駆動する様にしたＹ（上下）方向駆動装置（駆動手段）２０と、支持軸２０ａの下端に取り付けられたＹ（上下）方向移動支持部材２１と、Ｙ方向移動支持部材２１にＺ（前後）方向に移動可能に取り付けられたＺ（前後）方向移動支持部材２２と、Ｚ方向移動支持部材２２にＸ（左右）方向に移動可能に取り付けられたＸ（左右）方向移動支持部材２３を有する。
【００１６】
そして、図８に示したように、Ｚ方向移動支持部材２２は、Ｙ方向移動支持部材２１に取り付けられたパルスモータ等のＺ方向駆動装置（駆動手段）２４と、Ｚ方向駆動装置２４により回転駆動される送りネジ２５によりＺ（前後）方向に進退駆動させられる様になっている。また、Ｘ方向移動支持部材２３は、Ｚ方向移動支持部材２２に取り付けられたパルスモータ等の左右方向駆動装置（駆動手段）２６と、左右方向駆動装置（左右方向駆動手段）２６により回転駆動される送りネジ２７によりＸ（左右）方向に進退駆動させられる様になっている。
＜水平回転装置＞
また、水平回転装置（水平回動手段，旋回駆動手段）１９Ｌ，１９Ｒは、三次元駆動装置１８Ｌ，１８ＲのＸ移動支持部材２３，２３の中央に固定されたパルスモータ等の水平回転駆動装置（輻輳駆動手段，旋回駆動手段）２８，２８と、パルスモータ２８，２８により鉛直軸を中心に回転駆動される回転軸２９，２９をそれぞれ有する。そして、この回転軸２９，２９には、左検眼ユニット１６Ｌ及び右検眼ユニット１６Ｒが固定されている。
＜検眼ユニット＞
左検眼ユニット１６Ｌ及び右検眼ユニット１６Ｒは、一部を省略した以外は構成が略同じであるので、まず左検眼ユニット１６Ｌの測定光学系について説明する。
（ａ）左検眼ユニット１６Ｌの測定光学系及びその制御系
この左検眼ユニット１６Ｌの測定光学系は、図９，図１０，図１１に示した前眼部撮影光学系３０Ｌと、ＸＹアライメント光学系３１Ｌと、固視光学系３２Ｌと、屈折力測定光学系３３Ｌを有する。尚、右検眼ユニット１６Ｒの測定光学系は、図９，図１２，図１３に示したように前眼部撮影光学系３０Ｒと、ＸＹアライメント光学系３１Ｒと、固視光学系３２Ｒと、屈折力測定光学系３３Ｒを有する。
（前眼部撮影光学系３０Ｌ）
前眼部撮影光学系３０Ｌは、前眼部照明光学系３４と、観察撮影用の撮影光学系（観察光学系）３５を有する。この前眼部照明光学系３４は、前眼部照明用の光源３６と、絞り３６ａと、光源３６からの光を被検眼Ｅの前眼部に投影する投影レンズ３７を有する。
【００１７】
また、撮影光学系３５は、被検眼Ｅの前眼部からの反射光が入射するプリズムＰ，対物レンズ３８，ダイクロイックミラー３９，絞り４０，ダイクロイックミラー４１，リレーレンズ４２，４３，ダイクロイックミラー４４，ＣＣＤレンズ（結像レンズ）４５，ＣＣＤ（撮像手段）４６をこの順に有する。
（ＸＹアライメント光学系３１Ｌ）
ＸＹアライメント光学系３１Ｌは、アライメント照明光学系４７と、撮影光学系３５をアライメント受光光学系として有する。アライメント照明光学系４７は、図１０に示したように、アライメント用の照明光源４８、アライメント視標としての絞り４９、リレーレンズ５０、ダイクロイックミラー４１、絞り４０，ダイクロイックミラー３９，対物レンズ３８，プリズムＰをこの順に有する。
（固視光学系３２Ｌ）
固視光学系３２Ｌは、固視標や自覚式検眼用のチャート等を表示させる液晶表示器（表示手段）５３，反射ミラー５４，コリメータレンズ５５，反射ミラー５６，移動レンズ５７，リレーレンズ５８，５９，反射ミラー６０，ダイクロイックミラー６１，３９，対物レンズ３８及びプリズムＰをこの順に有する。
【００１８】
この固視標光学系３２Ｌは、被検眼の屈折力に合わせて移動レンズ５７がパルスモータ（固視雲霧駆動手段）ＰＭａにより光軸方向に移動可能となっていて、固視雲霧させることができる。
（屈折力測定光学系３３Ｌ）
屈折力測定光学系３３Ｌは、測定光束投影光学系６２及び測定光束受光光学系６３を有する。
【００１９】
測定光束投影光学系６２は、赤外ＬＥＤ等の測定用光源６４，コリメータレンズ６５，円錐プリズム６６，リング視標６７，リレーレンズ６８，リング状絞り６９，中央に透孔７０ａが形成された穴あきプリズム７０，ダイクロイックミラー６１，３９、対物レンズ３８及びプリズムＰをこの順に有する。
【００２０】
また、測定光束受光光学系６３は、被検眼Ｅの眼底Ｅｆからの反射光を受光するプリズムＰ，対物レンズ３８，ダイクロイックミラー３９，６１，穴あきプリズム７０の透孔７０ａ，反射ミラー７１，リレーレンズ７２，移動レンズ７３，反射ミラー７４，ダイクロイックミラー４４，ＣＣＤレンズ４５，ＣＣＤ４６をこの順に有する。
【００２１】
この右検眼ユニット１６Ｒの測定光学系は左検眼ユニット１６Ｌの測定光学系と全く同じであるので、その説明は省略する。
（左検眼ユニット１６Ｌの制御回路）
上述した駆動装置２０，２４，２６，２８や前眼部観察用の光源３６，液晶表示器５３，測定用光源６４及びパルスモータＰＭａ等は、図１４に示した演算制御回路９０により作動制御されるようになっている。また、演算制御回路９０には、ＣＣＤからの検出信号が入力されるようになっている。
（ｂ）右検眼ユニット１６Ｒの測定光学系及びその制御系
右検眼ユニット１６Ｒは、上述したように左検眼ユニット１６Ｌと構成が同じである。
＜全体の制御回路＞
全体の制御回路は、図１４に示したように上述の検眼ユニット１６Ｌ，１６Ｒの制御回路（制御手段）９０，９０と、制御回路９０，９０を制御する演算制御回路（制御手段）９１を有する。この演算制御回路９１には、押釦スイッチ１２ａ及びジョイステックレバー１２の前後・左右への傾動操作を検出する傾動検出センサ１２ｂ、ジョイステックレバー１２の軸線回りへの回動操作を検出する回転センサ１２ｃが接続されている。また、演算制御回路９１には、液晶表示器等の表示装置（表示手段）９２が接続されている。この液晶表示装置９２は、ボックス本体５の手前側に図１の如く配設して使用される。
【００２２】
また、演算制御回路９１には、情報記録再生装置（情報記録再生手段）等の記録手段９１ａやメモリ等の記憶手段９１ｂが接続されている。
【００２３】
次に、この様な構成の眼屈折力検査装置の使用状態を説明する。
[１]．検眼ユニットの高さ調節等
被検者４が図１の如く椅子３に着座して、検眼ユニット１６Ｌ，１６ＲのプリズムＰ，Ｐの高さが被検者４の眼の高さになるように、検眼テーブル１の高さを図示しない上下駆動手段で上下に調整する。この様な検眼テーブル１の上下駆動機構は周知のものが採用できるので、詳細な説明は省略する。
【００２４】
尚、図示はしていないが、扁平支持部（ベース部材）６に手動操作手段又はパルスモータ等の駆動モータにより上下動操作可能な支柱を設け、この支柱に顎受を設けることができる。例えば、手動操作手段としては、例えば顎受の支柱にラックを設け、このラックに噛合するピニオンを回転操作軸の一端部に取り付け、この回転操作軸の他端部に回転操作ノブを取り付けた構成としても良い。この構成では、回転操作ノブを回転操作することにより、ピニオンが回転させられて、このピニオンの回転がラックを介して支柱上下動に変換され、支柱と顎受が一体に上下動操作されることになる。
【００２５】
この様な顎受を設けることで、検眼テーブル１を被検者の座高等に応じて上下動させることで、検眼ユニット１６Ｌ，１６ＲのプリズムＰ，Ｐの高さが略被検者４の眼の高さになるように概略調整したのち、顎受の高さを調節することで検眼ユニット１６Ｌ，１６ＲのプリズムＰ，Ｐの高さが被検者４の眼の高さになるように微調整することができる。
[２]アライメント
（１）．遠方視状態のための検眼ユニット１６Ｌ，１６Ｒの駆動制御
次に、被検者４が検眼装置２の図示を省略した電源を投入すると、演算制御回路９１は表示装置９２に使用手順を順次表示させる。被検者４は、この使用手順に従って検眼を進める。
【００２６】
また、この際、演算制御回路９１は、検眼ユニット１６Ｌ，１６Ｒの演算制御回路９０，９０を作動制御して、被検者４の左眼（被検眼）ＥＬ，右眼（被検眼）ＥＲに対するアライメント動作の準備を開始させる。即ち、検眼ユニット１６Ｌ，１６Ｒの各演算制御回路９０，９０は、検眼ユニット１６Ｌ，１６Ｒの前眼部観察用光源３６，アライメント用の照明光源４８等を点灯させると共に，液晶表示器５３を作動させて、液晶表示器５３に固視標を表示させる。
【００２７】
また、検眼ユニット１６Ｌ，１６Ｒの演算制御回路９０，９０は、演算制御回路９１からの制御信号に基づいて水平回転駆動装置２８，２８を作動制御して、検眼ユニット１６Ｌ，１６ＲのプリズムＰ，Ｐから被検者４側に向かう光軸ＯＬ，ＯＲを図９及び図１５に示したように平行にする。
【００２８】
この場合、演算制御回路９１により演算制御回路９０，９０を作動制御して、検眼ユニット１６Ｌ，１６Ｒのパルスモータ等の左右方向駆動装置（駆動手段）２６，２６を演算制御回路９０，９０により駆動制御させることにより、検眼ユニット１６Ｌ，１６ＲのＸ方向移動支持部材２３，２３を左右に移動制御させて、検眼ユニット１６Ｌ，１６Ｒの光軸（測定光軸）ＯＬ，ＯＲの間隔を被検者４の左眼（被検眼）ＥＬと右眼（被検眼）ＥＲとの間隔、即ち被検者４の瞳孔間距離ＰＤに合わせるのが望ましい。
(i)検眼ユニット１６Ｌ，１６Ｒの光軸（測定光軸）ＯＬ，ＯＲ間隔設定（ＰＤ値利用）
＜ＰＤ値の測定データがある場合＞
従って、レンズメータ等でメガネの左右のレンズの光軸間距離が測定されて、この光軸間距離のデータがある場合にはこのデータがＰＤ値となるので、この光軸間距離のデータをレンズメータからＰＤ値のデータとして演算制御回路９１に通信手段を介して入力する。この通信手段としては、ケーブル、ネットワーク、無線、光等を用いることができる。また、このＰＤ値を入力をするためのキーボード等のＰＤ値入力手段を用意しておいて、ＰＤ値を本人又はアシスタントが入力するようにしてもよい。
【００２９】
この場合、演算制御回路９１は、実際に測定したＰＤ値が入力されると、演算制御回路９０，９０を作動制御して、検眼ユニット１６Ｌ，１６Ｒのパルスモータ等の左右方向駆動装置（駆動手段）２６，２６を演算制御回路９０，９０により駆動制御させることにより、検眼ユニット１６Ｌ，１６ＲのＸ方向移動支持部材２３，２３を左右に移動制御させて、検眼ユニット１６Ｌ，１６Ｒの光軸ＯＬ，ＯＲの間隔を被検者４の左眼ＥＬと右眼ＥＲとの間隔、即ち被検者４の瞳孔間距離ＰＤに合わせる。
＜ＰＤ値の測定データがない場合＞
しかし、この様なＰＤ値のデータがない場合には、以下の様にしてＰＤ値を設定する。例えば、人の瞳孔間距離ＰＤは子供と成人、男性と女性で大きく異なることが多い。この場合の瞳孔間距離ＰＤのバラツキは、おおよそ５０ｍｍ〜８０ｍｍと広範囲に分布する。従って、通常の男性の成人の場合を考えると、例えば５０ｍｍ〜８０ｍｍの中間の値である６５ｍｍを成人の瞳孔間距離ＰＤの初期設定値（標準値）とする。
【００３０】
また、年齢によるＰＤ値（瞳孔間距離ＰＤの値）の平均は、例えば表１に示したように、
0003808345.tif 000002
となる。この表１から分かるように、若い年齢ではＰＤ値の変化が大きいが、１０歳を越えると略安定している。
【００３１】
また、性別によるPD値は表２に示したように、
0003808345.tif 000003
となる。ここで、男性の場合のＰＤ値は、５３ｍｍが１％未満、５６ｍｍが２．５％未満、５８ｍｍが５％未満・・・７１ｍｍが９９％未満であることを示す。また、女性の場合のＰＤ値は、４８ｍｍが１％未満、４８ｍｍが２．５％未満、５１ｍｍが５％未満・・・６９ｍｍが９９％未満であることを示す。
【００３２】
更に、上記表１，表２のデータを参考として、男性及び女性のＰＤ値を求める。そして、男性の場合、１９歳以下の年齢Ａｍに対するＰＤ値をＰＤｍとすると、ＰＤｍは、
ＰＤｍ＝Ａｍ＋４６
に従って求めることができる。ここで、年齢Ａｍは１歳単位、ＰＤｍは四捨五入で１ｍｍ単位とする。また、男性の場合、２０歳以上のＰＤ値は上述したように６５ｍｍとする。この様にして求められ又は設定された男性の年齢によるＰＤｍは、
0003808345.tif 000004
となる。
【００３３】
更に、女性の場合、１９歳以下の年齢Ａｗに対するＰＤ値をＰＤｗとすると、ＰＤｗは、
ＰＤｗ＝0.7Ａｗ＋４６
に従って求めることができる。ここで、年齢Ａｗは１歳単位、ＰＤｗは四捨五入で１ｍｍ単位とする。また、女性の場合、２０歳以上のＰＤ値は５９ｍｍとする。
この様にして求められ又は設定された女性の年齢によるＰＤｗは、
0003808345.tif 000005
となる。
【００３４】
この様に求められ又は設定されたＰＤ値を予め記録手段９１ａ又は記憶手段９１ｂにＰＤ値のデータベースとして記録又は記憶させておく。一方、表示装置９２に年齢や性別の選択又は入力するメニューを演算制御回路９１により表示させる。そして、このメニューをジョイステックレバー１２又はキー８，９，１０，１１等の被検者情報入力手段を用いて選択することにより、或いは専用のキーボード（図示せず）を被検者情報入力手段として設けておいて、この専用のキーボードを利用して年齢、性別の選択メニューを選択することにより、年齢、性別の入力画面を表示装置９２に表示させる様にする。そして、この年齢、性別の入力画面において、ジョイステックレバー１２又はキー８，９，１０，１１等の被検者情報入力手段を用いて年齢、性別を入力するか、専用のキーボード（被検者情報入力手段）を用いて年齢、性別等の被検者情報（被検者ＰＤ情報）を入力する。或いは、液晶表示器９２に透明なタッチパネル（被検者情報入力手段）を設けておいて、このタッチパネルを用いて年齢、性別を入力することもできる。この様なＰＤ値の入力は本人又はアシスタントが入力するようにしてもよい。
【００３５】
この場合、演算制御回路９１は、年齢，性別が入力されると、演算制御回路９０，９０を作動制御して、検眼ユニット１６Ｌ，１６Ｒのパルスモータ等の左右方向駆動装置（駆動手段）２６，２６を演算制御回路９０，９０により駆動制御させることにより、検眼ユニット１６Ｌ，１６ＲのＸ方向移動支持部材２３，２３を左右に移動制御させて、検眼ユニット１６Ｌ，１６Ｒの光軸ＯＬ，ＯＲの間隔を上述の表１〜４に示した年齢や性別等に応じた値に設定する。
(ii)検眼ユニット１６Ｌ，１６Ｒの左眼ＥＬ及び右眼ＥＲに対するＸＹ粗アライメント操作
また、演算制御回路９１が上述のように電源の投入により作動させられると、演算制御回路９１は検眼ユニット１６Ｌ，１６Ｒの演算制御回路９０，９０を動作制御して、この演算制御回路９０，９０に検眼ユニット１６Ｌ，１６Ｒの前眼部照明用の光源３６，３６をそれぞれ点灯させる。これにより、各検眼ユニット１６Ｌ，１６Ｒの光源３６からの照明光が、絞り３６ａ及び投影レンズ３７を介して被検眼ＥＬの前眼部に投影され、検眼ユニット１６Ｒの前眼部照明用の光源３６からの照明光は絞り３６ａを介して投影レンズ３７から被検者４側に投影される。
＜アライメント操作＞
この状態で被検者４が左右両眼の検眼ユニット１６Ｌ、１６Ｒに対するアライメントを行う場合には、測定前に被検者４は額を額当１５に当接させて、ジョイステックレバー１２を左右に傾動操作すると共に、ジョイステックレバー１２を軸線回りの一方に回動操作又は逆他方に回動操作する。この様にジョイステックレバー１２を左右に傾動操作すると、演算制御回路９１は傾動センサ１２ｂの出力信号に基づいて検眼ユニット１６Ｌ，１６Ｒの演算制御回路９０，９０をそれぞれ作動制御する。この制御により、検眼ユニット１６Ｌ，１６Ｒの各演算制御回路９０，９０は、傾動センサ１２ｂの出力信号から、Ｘ（左右）方向駆動装置２６を正転又は逆転駆動させて、検眼ユニット１６Ｌ，１６Ｒを左右一体に移動制御する。また、ジョイステックレバー１２を軸線回りの一方に回動操作又は逆他方に回動操作すると、演算制御回路９１は検眼ユニット１６Ｌ，１６Ｒの演算制御回路９０，９０をそれぞれ作動制御する。この制御により、検眼ユニット１６Ｌ，１６Ｒの各算制御回路９０は、検眼ユニット１６Ｌ，１６Ｒの各Ｙ（上下）方向駆動装置２０，２０を正転又は逆転駆動させて、検眼ユニット１６Ｌ，１６Ｒを上下に一体に移動制御する。
【００３６】
従って、被検者４が左右両眼の眼屈折力を測定する場合には、被検者４の左右眼の光軸が検眼ユニット１６Ｌ，１６ＲのプリズムＰ，Ｐの中心位置（光軸ＯＬ，ＯＲ）に来るように（一致する様に）、ジョイステックレバー１２を左右へ傾動操作して、検眼ユニット１６Ｌ，１６Ｒを左右に移動操作すると共に、 ジョイステックレバー１２を軸線回りに回動操作して、検眼ユニット１６Ｌ，１６Ｒを上下に移動操作することにより、ＸＹアライメントを行う。
【００３７】
この際、左眼ＥＬの瞳孔中心である輝点像ＥＰが液晶表示器５３の中心（ＣＣＤ４６の中心Ｏ即ち光軸ＯＬと一致）ＯＬａに対して左右方向の自動アライメントが可能な所定範囲内に入るように、又は、右眼ＥＲの瞳孔中心である輝点像ＥＰが液晶表示器５３の中心（ＣＣＤ４６の中心Ｏ即ち光軸ＯＬと一致）ＯＲａに対して左右方向の自動アライメントが可能な所定範囲内に入るように、ＸＹアライメントを行う。
【００３８】
上述した図示しない顎受がある場合には、顎受の高さを上下方向（Ｙ方向）に移動操作して、被検者４の眼が検眼ユニット１６Ｌ，１６ＲのプリズムＰ，Ｐの高さに来るように大まかに調整した後、ジョイステックレバー１２を左右へ傾動操作して、検眼ユニット１６Ｌ，１６Ｒを左右に移動操作し、Ｘアライメントを行う。
【００３９】
この様なＸＹアライメント又はＸアライメント操作は、検眼ユニット１６Ｌ，１６Ｒの液晶表示器５３，５３に表示させた表示内容を左眼ＥＬ及び右眼ＥＲで視認しながら、この表示が明瞭になるようにすることで行う。
【００４０】
この各液晶表示器５３の表示内容としては、景色の写真や図形等の固視標を用いることができる。また、各液晶表示器５３の表示内容としては、検眼ユニット１６Ｌ，１６ＲのＣＣＤ４６，４６で撮像される前眼部像（輝点像を含む）を固視標として用いても良い。以下の説明では、表示内容を前眼部像で説明する。
(iii)ＸＹ粗アライメント操作に伴う液晶表示器５３及び表示装置９２への表示
＜左右の前眼部像表示＞
この様なアライメント操作に際して、検眼ユニット１６ＬのプリズムＰが左眼（被検眼）ＥＬに対応し始まると、検眼ユニット１６Ｌの前眼部照明用の光源３６からの照明光は絞り３６ａ及び投影レンズ３７を介して左眼（被検眼）ＥＬの前眼部に投影され、検眼ユニット１６Ｒの前眼部照明用の光源３６からの照明光は絞り３６ａ及び投影レンズ３７を介して左眼ＥＬの前眼部に投影される。一方、検眼ユニット１６ＲのプリズムＰが右眼ＥＲに対応し始まると、検眼ユニット１６Ｒの前眼部照明用の光源３６からの照明光は絞り３６ａ及び投影レンズ３７を介して右眼ＥＲの前眼部に投影され、検眼ユニット１６Ｒの前眼部照明用の光源３６からの照明光は絞り３６ａ及び投影レンズ３７を介して右眼ＥＲの前眼部に投影される。
【００４１】
そして、左眼ＥＬの前眼部からの反射光は、検眼ユニット１６ＬのプリズムＰ，対物レンズ３８，ダイクロイックミラー３９，絞り４０，ダイクロイックミラー４１，リレーレンズ４２，４３，ダイクロイックミラー４４，ＣＣＤレンズ（結像レンズ）４５を介してＣＣＤ（撮像手段）４６に投影され、図１８の如くＣＣＤ４６に左眼ＥＬの前眼部像ＥＬ′を結像する。また、検眼ユニット１６Ｌの演算制御回路９０は、図１９の如くＣＣＤ４６からの出力信号を基に左眼の前眼部像ＥＬ′を液晶表示器５３に動画でリアルタイムで表示させる。この表示と同様な表示を表示装置９２にアシスタント用に表示させる。
【００４２】
尚、実際には、左眼の前眼部像ＥＬ′を液晶表示器５３に表示せず、上述したように景色の写真や図形等の固視標を液晶表示器５３に表示させて、表示装置９２に左眼の前眼部像ＥＬ′をアシスタント用として表示させても良い。
【００４３】
一方、  右眼ＥＲの前眼部からの反射光は、検眼ユニット１６ＲのプリズムＰ，対物レンズ３８，ダイクロイックミラー３９，絞り４０，ダイクロイックミラー４１，リレーレンズ４２，４３，ダイクロイックミラー４４，ＣＣＤレンズ（結像レンズ）４５を介してＣＣＤ（撮像手段）４６に投影され、図１８の如くＣＣＤ４６に右眼ＥＲの前眼部像ＥＲ′を結像する。また、検眼ユニット１６Ｒの演算制御回路９０は、図１９の如くＣＣＤ４６からの出力信号を基に右眼の前眼部像ＥＲ′を液晶表示器５３に動画でリアルタイムで表示させる。この表示と同様な表示を表示装置９２にアシスタント用に表示させる。
【００４４】
尚、実際には、右眼の前眼部像ＥＲ′を液晶表示器５３に表示せず、上述したように景色の写真や図形等の固視標を液晶表示器５３に表示させて、表示装置９２に右眼の前眼部像ＥＲ′をアシスタント用として表示させても良い。
＜左右の輝点像表示＞
また、検眼ユニット１６ＬにおけるＸＹアライメント用の照明光源４８からのアライメント光束は、アライメント視標としての絞り４９、リレーレンズ５０、ダイクロイックミラー４１、絞り４０，ダイクロイックミラー３９，対物レンズ３８，プリズムＰを介して被検者の左眼ＥＬの角膜ＣＬに投影されている。そして、角膜ＣＬからの反射光は、プリズムＰ，対物レンズ３８，ダイクロイックミラー３９，絞り４０，ダイクロイックミラー４１，リレーレンズ４２，４３，ダイクロイックミラー４４，ＣＣＤレンズ（結像レンズ）４５を介してＣＣＤ（撮像手段）４６に結像され、角膜ＣＬからの輝点像ＥＰを図１８の如くＣＣＤ４６上に形成する。しかも、検眼ユニット１６Ｌの演算制御回路９０は、ＣＣＤ４６からの出力信号を基に左眼ＥＬの前眼部像ＥＬ′と共に輝点像ＥＰを図１８の如く液晶表示器５３に重ねて動画でリアルタイムで表示させる。この表示と同様な表示を表示装置９２にアシスタント用に表示させる。
【００４５】
尚、実際には、左眼の前眼部像ＥＬ′及び輝点像ＥＰを液晶表示器５３に表示せず、上述したように景色の写真や図形等の固視標を液晶表示器５３に表示させて、表示装置９２に右眼の前眼部像ＥＬ′及び輝点像ＥＰをアシスタント用として表示させても良い。
【００４６】
同様に検眼ユニット１６ＲにおけるＸＹアライメント用の照明光源４８からのアライメント光束は、アライメント視標としての絞り４９、リレーレンズ５０、ダイクロイックミラー４１、絞り４０，ダイクロイックミラー３９，対物レンズ３８，プリズムＰを介して被検者の左眼ＥＲの角膜ＣＲに投影されている。そして、角膜ＣＲからの反射光は、プリズムＰ，対物レンズ３８，ダイクロイックミラー３９，絞り４０，ダイクロイックミラー４１，リレーレンズ４２，４３，ダイクロイックミラー４４，ＣＣＤレンズ（結像レンズ）４５を介してＣＣＤ（撮像手段）４６に結像され、角膜ＣＬからの輝点像ＥＰを図１８の如くＣＣＤ４６上に形成する。しかも、検眼ユニット１６Ｒの演算制御回路９０は、ＣＣＤ４６からの出力信号を基に左眼ＥＲの前眼部像ＥＲ′と共に輝点像ＥＰを図１８の如く液晶表示器５３に重ねて動画でリアルタイムで表示させる。この表示と同様な表示を表示装置９２にアシスタント用に表示させる。
【００４７】
尚、実際には、右眼の前眼部像ＥＲ′及び輝点像ＥＰを液晶表示器５３に表示せず、上述したように景色の写真や図形等の固視標を液晶表示器５３に表示させて、表示装置９２に右眼の前眼部像ＥＲ′及び輝点像ＥＰをアシスタント用として表示させても良い。
(iV)ＸＹ粗アライメント操作に伴うオートアライメント
被検者４は、上述したＸＹ粗アライメント操作において、検眼ユニット１６Ｌ，１６Ｒの一方の液晶表示器５３，５３のうちの一方の表示内容が見えたときに、この見えた方の液晶表示器５３の表示内容がより明瞭（鮮明）になる方向に更にアライメント操作をする。ここで、例えば見えた方の表示内容が検眼ユニット１６Ｌの液晶表示器５３に表示されたものである場合について、以下説明する。
(a)左検眼ユニット１６ＬのＸＹオートアライメント
被検者４は、検眼ユニット１６Ｌの液晶表示器５３に表示された表示内容を視認できたとき、この液晶表示器５３の前眼部像及び輝点像ＥＰを視認しながら、左眼ＥＬの瞳孔中心である輝点像ＥＰが液晶表示器５３の中心（ＣＣＤ４６の中心即ち光軸ＯＬと一致）に対して上下方向の自動アライメントが可能な所定範囲内に入るように、ジョイステックレバー１２の軸線回りの回転操作により、被検者４の左眼（被検眼）ＥＬの光軸が左検眼ユニット１６ＬのプリズムＰの中心（光軸ＯＬ）に一致するように移動操作する。尚、このプリズムＰの中心（光軸ＯＬ）は、ＣＣＤ４６の中心と一致している。
【００４８】
この様にして、被検者４の左眼ＥＬの輝点像ＥＰが左検眼ユニット１６Ｌの液晶表示器５３の中心ＯＬａに対して所定範囲Ｓ１内に入ると、アライメント光束による輝点像ＥＰがＣＣＤ４６の中心Ｏの所定範囲内に入ることになる。
【００４９】
そして、検眼ユニット１６Ｌの演算制御回路９０は、ＣＣＤ４６からの輝点像の信号がＣＣＤ４６の中心の所定範囲内に入ると、被検者４の左眼の光軸が左検眼ユニット１６ＬのプリズムＰの中心（光軸ＯＬ）に一致する方向に駆動装置２０，２６を駆動制御する。この様な駆動に伴って演算制御回路９０は、被検者４の左眼の光軸が左検眼ユニット１６ＬのプリズムＰの中心（光軸ＯＬ）に一致するか略一致する許容範囲Ｓ２（測定可能範囲）内に入ると、駆動装置２０，２６の作動を停止させて、左検眼ユニット１６Ｌの左眼ＥＬに対するＸＹオートアライメントを完了する。
【００５０】
この様なＸＹオートアライメント時の左右方向即ちＸ方向の座標データ（Ｘ座標データ）及びＹ方向（上下方向）の座標データ（Ｙ座標データ）又や駆動量のデータは、記憶手段９１ｂに記憶される。
(b).左検眼ユニット１６Ｌの左眼ＥＬに対するＺ方向のオートアライメント
演算制御回路９１は、左検眼ユニット１６Ｌの左眼ＥＬに対するＸＹアライメントを完了すると、ＣＣＤ４６の輝点像が有る程度鮮明になるようにＺ（前後）方向駆動装置２４を駆動制御して、左検眼ユニット１６Ｌを光軸ＯＬ方向（前後方向）に移動制御する。そして、演算制御回路９１は、ＣＣＤ４６の輝点像が有る程度鮮明になったのを、ＣＣＤ４６の出力信号から検知すると、Ｚアライメントが完了したとしてＺ（前後）方向駆動装置２４の駆動を停止させる。この様なＸＹオートアライメント時のＺ方向（左右方向）の座標データ（Ｚ座標データ）又や駆動量のデータも、記憶手段９１ｂに記憶される。
(C)．右検眼ユニット１６Ｒに対するオートアライメント
＜年齢、性別に基づくＰＤ値利用のアライメントの場合＞
（Ｘ，Ｙ，Ｚ座標データによるアライメントが可能な場合）
この様にして左検眼ユニット１６Ｌの左眼ＥＬに対するＸＹアライメント及びＺアライメントが完了すると、演算制御回路９１は左検眼ユニット１６Ｌの左眼ＥＬに対するＸ，Ｙ，Ｚ座標データに基づいて、右検眼ユニット１６Ｒの演算制御回路９０を動作制御して、Ｘ，Ｙ，Ｚのオートアライメントを実行する。
【００５１】
ここで、検眼ユニット１６Ｌ,１６Ｒを最も接近させた状態あるいは最も離反させた状態において、検眼ユニット１６Ｌ,１６Ｒの中間位置をＸ方向の座標の基準位置Ｘ０とすると、上述の検眼ユニット１６ＬのＸ座標データは基準位置Ｘ０から左方への距離ｘａの絶対値で求められる様に設定し、検眼ユニット１６ＲのＸ座標データは基準位置Ｘ０から右方への距離ｘｂの絶対値で求められる様に設定しておいた場合には、検眼ユニット１６ＬのＸ，Ｙ，Ｚ座標データを用いての検眼ユニット１６Ｒのアライメントは次のようになる。
【００５２】
即ち、演算制御回路９１は、Ｘ座標データに基づいて右検眼ユニット１６Ｒの演算制御回路９０を作動制御して、この演算制御回路９０により駆動装置２６を駆動制御し、検眼ユニット１６Ｒを基準位置Ｘ０から右側に｜ｘａ｜だけ移動させると共に、Ｙ，Ｚ座標データに基づいて右検眼ユニット１６Ｒの演算制御回路９０を作動制御して、この演算制御回路９０により駆動装置２４，２０を駆動制御し、検眼ユニット１６Ｒを検眼ユニット１６ＬのＹ，Ｚ座標データの位置まで駆動制御することで、右検眼ユニット１６Ｒの右眼ＥＲに対するＸＹアライメント及びＺアライメントを行う。
【００５３】
このアライメントにより、被検者４の右眼ＥＲの輝点像ＥＰが左検眼ユニット１６Ｒの液晶表示器５３の中心ＯＲａに対して所定範囲Ｓ１内に入ると、アライメント光束による輝点像ＥＰがＣＣＤ４６の中心Ｏの所定範囲内に入ることになる。これにより、右検眼ユニット１６Ｒの右眼ＥＲに対するアライメントが、右検眼ユニット１６Ｌの左眼ＥＬに対するアライメントと同様にして実行される。
（Ｘ，Ｙ，Ｚ座標データによるアライメントが不可能な場合）
この様な一方の検眼ユニット１６ＬのＸ，Ｙ，Ｚ座標データを他方の検眼ユニット１６Ｒのアライメントのデータとしてフィードバックして、検眼ユニット１６Ｒのオートアライメントを行った場合に、右検眼ユニット１６Ｒの右眼ＥＲに対するアライメントができない場合も考えられる。
【００５４】
この場合には、演算制御回路９１は、右検眼ユニット１６Ｒの演算制御回路９０を介してＹ（上下）方向駆動装置２０及びＺ（前後）方向駆動装置２４の作動を停止させて、右検眼ユニット１６ＲのＹＺ座標を固定する。一方、演算制御回路９１は、右検眼ユニット１６Ｒの演算制御回路９０を介してパルスモータ等の左右方向駆動装置（駆動手段）２６を駆動制御し、右検眼ユニット１６Ｒを左右（Ｘ方向）に例えば±５ｍｍ又は±１０ｍｍ移動操作して、右検眼ユニット１６Ｒの右眼ＥＲに対するオートアライメントを行う。
【００５５】
このアライメントにより、被検者４の右眼ＥＲの輝点像ＥＰが左検眼ユニット１６Ｒの液晶表示器５３の中心ＯＲａに対して所定範囲Ｓ１内に入ると、アライメント光束による輝点像ＥＰがＣＣＤ４６の中心Ｏの所定範囲内に入ることになる。これにより、右検眼ユニット１６Ｒの右眼ＥＲに対するアライメントが、演算制御回路９１及び右検眼ユニット１６Ｒの演算制御回路９０により、右検眼ユニット１６Ｌの左眼ＥＬに対するアライメントと同様にして実行される。
＜測定に基づくＰＤ値利用のアライメントの場合＞
被検者４のＰＤ値の情報又はレンズメータからのＰＤ値の情報がある場合には、一方の検眼ユニット１６Ｌが左眼ＥＬにアライメントされると、他方の検眼ユニット１６Ｒは右眼ＥＲにアライメントされることになるので、他方の検眼ユニット１６ＲのＸ方向のアライメントは不要となる。この場合には、Ｙ，Ｚのアライメントを検眼ユニット１６ＬのＹ，Ｚ座標データに基づいて上述と同様に行えば良い。
【００５６】
尚、上述した例では左検眼ユニット１６Ｌのアライメントが先に行われ、このアライメントの座標データに基づいて右検眼ユニット１６Ｒのアライメントを行われる例を説明したが、アライメントはこの逆になることもある。
[3]遠方視状態における眼屈折力の同時測定
ところで、固視光学系３２Ｌの移動レンズ５７は、パルスモータ（駆動手段）ＰＭａで光軸Ｏの延びる方向に進退駆動されるようになっている。
しかも、液晶表示器５３は、測定前には初期位置、即ち屈折力測定光学系３３Ｌ，３３Ｒで測定される眼屈折力が０Ｄ（「０」ディオプター）となる位置に位置させられている。固視光学系３２Ｒも同様になっている。
【００５７】
そして、演算制御回路９１は、[1]，[2]のアライメントが完了すると、屈折力測定光学系３３Ｌの演算制御回路９０及び屈折力測定光学系３３Ｒの演算制御回路９０をそれぞれ作動制御して、左右の屈折力測定光学系３３Ｌ，３３Ｒの測定用光源６４，６４をそれぞれ点灯させて、この測定用光源６４，６４から赤外の測定光束を出射させ、被検者４の左眼ＥＬ及び右眼ＥＲの眼屈折力の測定を同時に開始する。この際、測定は左眼ＥＬも右眼ＥＲも同じようにして行われるので、左眼ＥＬの測定について説明し、右眼の測定に説明を省略する。
(i)左眼ＥＬの眼屈折力測定
この際、液晶表示器５３に表示された固視標の光は、反射ミラー５４，コリメータレンズ５５，反射ミラー５６，移動レンズ５７，リレーレンズ５８，５９，反射ミラー６０，ダイクロイックミラー６１，３９，対物レンズ３８及びプリズムＰを介して、被検者４の左眼ＥＬの眼底Ｅｆに投影される。
【００５８】
また、左屈折力測定光学系３３Ｌの測定用光源６４からの測定光束は、測定光束投影光学系６２を介して被検者４の左眼ＥＬの眼底Ｅｆに投影される。即ち、左屈折力測定光学系３３Ｌの測定用光源６４からの測定光束は、左屈折力測定光学系３３Ｌのコリメータレンズ６５，円錐プリズム６６を介してリング視標６７に導かれる。そして、リング視標６７を透過したリング状の測定光束が、リレーレンズ６８，リング状絞り６９，中央に透孔７０ａが形成された穴あきプリズム７０，ダイクロイックミラー６１，３９、対物レンズ３８及びプリズムＰを介して被検者４の左眼ＥＬの眼底Ｅｆに投影される。
【００５９】
一方、左眼ＥＬの眼底Ｅｆに投影されたリング状の測定光束（リング状視標光）は眼底Ｅｆで反射する。この反射光は、測定光束受光光学系６３、即ち屈折力測定光学系３３ＬのプリズムＰ，対物レンズ３８，ダイクロイックミラー３９，６１，穴あきプリズム７０の透孔７０ａ，反射ミラー７１，リレーレンズ７２，移動レンズ７３，反射ミラー７４，ダイクロイックミラー４４，ＣＣＤレンズ４５等を介してＣＣＤ４６にリング状反射像が結像される。
【００６０】
このＣＣＤ４６からの検出信号は左屈折力測定光学系３３Ｌの演算制御回路９０に入力される。この演算制御回路９０は、ＣＣＤ４６からの検出信号が入力されると、ＣＣＤ４６に結像されたリング状反射像の大きさ形状と基準のリング状反射像の大きさ形状とから、左眼ＥＬの眼屈折力を測定する。この際、左眼ＥＬに調節力が働いているか否かが分からないので、即ち、左眼ＥＬに調節力が働いているかもしれないので、屈折測定で得られた眼屈折力が例えば３Ｄのときには１．５Ｄをプラスして、４．５Ｄの位置に固視標が表示された液晶表示器５３が来るように、パルスモータＰＭａを駆動制御して移動レンズ５７を光軸Ｏの延びる方向に進退駆動させる。
【００６１】
そして、この位置で左眼ＥＬの眼屈折力を上述の様にして測定する。この際の測定結果が例えば４Ｄの時には、前回の測定で得られた眼屈折力３Ｄと今回の測定で得られた眼屈折力４Ｄとの差が１Ｄあるので、左眼ＥＬには調節力があることが分かる。従って、演算制御回路９１は、今回の測定で得られた４Ｄに１．５Ｄをプラスして５．５Ｄとし、５．５Ｄの位置に液晶表示器５３が来るように、パルスモータＰＭａを駆動制御することにより移動レンズ５７を光軸Ｏの延びる方向に進退駆動させて、液晶表示器５３を５．５Ｄの位置まで雲霧させ、再度左眼ＥＬの眼屈折力を測定する。
【００６２】
更に、この測定結果が例えば４．２５Ｄの時には、前回の測定で得られた眼屈折力４Ｄと今回の測定で得られた眼屈折力し４．２５Ｄとの差が０．２５Ｄであるので、左眼ＥＬの調節力が略無くなったとすることができる。
【００６３】
即ち、上述のように、ラフ測定を順次繰り返して行い、前回測定により得られた眼屈折力と今回測定により得られた眼屈折力との差が、例えば０．２５Ｄと殆ど無くなったときには、左眼ＥＬの調節力が略無くなったとすることができる。しかも、液晶表示器５３が４．２５Ｄの位置では、左眼ＥＬは液晶表示器５３を鮮明に視認できる状態にあるので、この液晶表示器５３が鮮明に視認できる移動レンズ５７の位置を本測定の雲霧開始位置する。
【００６４】
そして、演算制御回路９０は、このラフ測定による最終的な眼屈折力が４．２５Ｄの値に１．５Ｄをプラスして５．７５Ｄとし、この４．２５Ｄの位置から５．７５Ｄの位置に液晶表示器５３が来るように、移動レンズ５７を光軸方向に移動させることにより液晶表示器５３を雲霧させて、本測定を行う。即ち、演算制御回路９０は、パルスモータＰＭａを駆動制御して移動レンズ５７を光軸Ｏの延びる方向に移動させて、液晶表示器５３が４．２５Ｄの位置から５．７５Ｄの位置に来るようにすることにより、左眼ＥＬが視認している液晶表示器５３がぼやける位置まで雲霧させて、左屈折力測定光学系３３Ｌにより左眼ＥＬの眼屈折力を測定する。この雲霧を伴う眼屈折力の本測定は数回行って平均値を左眼ＥＬの眼屈折力とする。
(ii)右眼ＥＲの眼屈折力測定
右眼ＥＲの眼屈折力も、(i)の左眼ＥＬの眼屈折力の測定と同様な手順で、左眼ＥＬと同時に測定される。
(iii)従って、この様に左眼ＥＬ及び右眼ＥＲの眼屈折力を同時に測定することにより、左眼ＥＬと右眼ＥＲの眼屈折力を片眼づつ測定した場合に比べて左眼ＥＬと右眼ＥＲの調節力がより少ない状態で、左眼ＥＬ及び右眼ＥＲの眼屈折力を正確に測定できる。
【００６５】
即ち、左眼ＥＬと右眼ＥＲの眼屈折力を片眼づつ測定した場合、左眼ＥＬと右眼ＥＲのうち測定していない方の眼の調節力が測定している方の眼の調節力に影響を与える虞がある。しかし、左眼ＥＬ及び右眼ＥＲの眼屈折力を同時に測定することにより、左眼ＥＬと右眼ＥＲの調節力が影響し合うようなことが無くなるので、左眼ＥＬと右眼ＥＲの調節力がより少ない状態で、左眼ＥＬ及び右眼ＥＲの眼屈折力を正確に測定できる。
[4].内方視（輻輳）状態から遠方視状態へ移動後の眼屈折力の同時測定
上述した[3]におけるように、遠方視状態での左右眼の眼屈折力の同時測定時には、左右眼の調節力が殆どない状態となっているが、内方視（光軸ＯＬ，ＯＲが輻輳している状態）状態から遠方視状態（光軸ＯＬ，ＯＲが平行な状態）へ移動後に眼屈折力を同時に測定することで、左右眼の調節力を更に少なくしてより正確な眼屈折力の測定を行うことができる。
【００６６】
この測定に際しては、まず図９の左眼ＥＬ及び右眼ＥＲが遠方視状態（光軸ＯＬ，ＯＲが平行な状態）から内方視（光軸ＯＬ，ＯＲが輻輳している状態）状態にする。例えば、図９の左眼ＥＬ及び右眼ＥＲが遠方視状態（光軸ＯＬ，ＯＲが平行な状態）から被検者４の左眼ＥＬ及び右眼ＥＲが約７５ｃｍ前方を見ている状態にして、左眼ＥＬ及び右眼ＥＲが角度αだけ輻輳している状態にする。
(i)．初期輻輳状態から光軸ＯＬ，ＯＲを平行状態にしたときの眼屈折力測定
＜初期位置への輻輳＞
このためには、演算制御回路９１は、演算制御回路９０，９０を介して検眼ユニット１６Ｌ，１６Ｒの駆動装置２８，２８を作動制御して、検眼ユニット１６Ｌ，１６Ｒを図９の状態から矢印Ａ，Ａの方向に水平回動（水平方向に旋回）させて、図１６，図１７に示したように光軸ＯＬ，ＯＲを角度αだけ輻輳させる。
【００６７】
この際、検眼ユニット１６Ｌの演算制御回路９０は、検眼ユニット１６Ｌの左眼ＥＬまでの作動距離が一定となる様に、且つ、被検者４の左眼の光軸が左検眼ユニット１６ＬのプリズムＰの中心（光軸ＯＬ）に一致する様に、検眼ユニット１６ＬのＣＣＤ４６からのアライメント用の輝点像のアドレス及びコントラスト等から、検眼ユニット１６Ｌの駆動装置２４及び２６を作動制御して、検眼ユニット１６Ｌを前後・左右に移動制御する。この制御により、光軸ＯＬは、図２０に示した実線の位置から破線で示したように左眼ＥＬの回旋中心ＥＯＬを中心に矢印８０で示したように時計回り方向に回動（旋回）させられることになる。この様にして、検眼ユニット１６Ｌが輻輳させられる際に、検眼ユニット１６Ｌの左眼ＥＬまでの作動距離が一定となると共に、被検者４の左眼の光軸が左検眼ユニット１６ＬのプリズムＰの中心（光軸ＯＬ）に一致させられながら旋回させられる。
【００６８】
一方、検眼ユニット１６Ｒの演算制御回路９０は、検眼ユニット１６Ｒの右眼ＥＲまでの作動距離が一定となるように、且つ、被検者４の右眼の光軸が右検眼ユニット１６ＲのプリズムＰの中心（光軸ＯＬ）に一致する様に、検眼ユニット１６ＲのＣＣＤ４６からのアライメント用の輝点像のアドレス及びコントラスト等から、検眼ユニット１６Ｒの駆動装置２４及び２６を作動制御して、検眼ユニット１６Ｒを前後・左右に移動制御する。この制御により、光軸ＯＲは、図２０に示した実線の位置から破線で示したように左眼ＥＬの回旋中心ＥＯＬを中心に矢印８１で示したように反時計回り方向に回動（旋回）させられることになる。この様にして、検眼ユニット１６Ｒが輻輳させられる際に、検眼ユニット１６Ｒの右眼ＥＲまでの作動距離が一定となると共に、被検者４の右眼の光軸が右検眼ユニット１６ＲのプリズムＰの中心（光軸ＯＬ）に一致させられながら旋回させられる。
【００６９】
尚、図２０において、ＥＰ′は角膜ＣＲ又はＣＬの曲率半径の１／２の位置にそれぞれ形成される輝点で、この基点ＥＰ′が被検眼前眼部と共に各検眼ユニット１６Ｌ，１６ＲのＣＣＤ４６に結像されて、ＣＣＤ４６からの映像信号に基づいて基点ＥＰ′が液晶表示器５３に被検眼前眼部像と共に輝点像ＥＰとして表示される。
【００７０】
尚、角度αの輻輳位置に検眼ユニット１６Ｌ，１６Ｒの液晶表示器５３，５３があるとき、この位置が例えば−８Ｄに相当するとする。
＜初期輻輳状態から光軸ＯＬ，ＯＲを平行状態へ＞
この輻輳状態から、演算制御回路９１は、検眼ユニット１６Ｌ，１６Ｒは演算制御回路９０，９０を作動制御して、演算制御回路９０，９０によりパルスモータＰＭａ，ＰＭａを同時に駆動制御させて、移動レンズ５７を光軸Ｏ方向に移動させ、検眼ユニット１６Ｌ，１６Ｒの液晶表示器５３，５３を−８Ｄに１．５Ｄをプラスした−６．５Ｄの位置まで雲霧させる。
【００７１】
この際、演算制御回路９１は、上述したように検眼ユニット１６Ｌ，１６Ｒを輻輳制御する。即ち、演算制御回路９１は、演算制御回路９０，９０を作動制御して、演算制御回路９０，９０により検眼ユニット１６Ｌ，１６Ｒの駆動装置２８，２８を駆動制御させ、検眼ユニット１６Ｌ，１６Ｒを図１７の矢印Ｂ，Ｂ方向に水平回動（水平旋回）させる。この演算制御回路９０，９０による駆動装置２８，２８の駆動制御は、検眼ユニット１６Ｌ，１６Ｒの光軸ＯＬ，ＯＲが平行となるまで行わせる。
【００７２】
しかも、この様な駆動制御（輻輳制御）に際して、検眼ユニット１６Ｌの演算制御回路９０は、検眼ユニット１６ＬのＣＣＤ４６からのアライメント用の輝点像のアドレス及びコントラスト等から、検眼ユニット１６Ｌの駆動装置２４及び２６を作動制御して、検眼ユニット１６Ｌの左眼ＥＬまでの作動距離が一定となるように、且つ、被検者４の右眼の光軸が右検眼ユニット１６ＲのプリズムＰの中心（光軸ＯＬ）に一致する様に制御する。
【００７３】
一方、検眼ユニット１６Ｒの演算制御回路９０は、検眼ユニット１６ＲのＣＣＤ４６からのアライメント用の輝点像のアドレス及びコントラスト等から、検眼ユニット１６Ｒの駆動装置２４及び２６を作動制御して、検眼ユニット１６Ｒの右眼ＥＲまでの作動距離が一定となるように、且つ、被検者４の右眼の光軸が右検眼ユニット１６ＲのプリズムＰの中心（光軸ＯＬ）に一致する様に制御する。
【００７４】
この様に、検眼ユニット１６Ｌ，１６Ｒを輻輳させながら、前後左右に移動制御して、この検眼ユニット１６Ｌ，１６Ｒから左眼ＥＬ及び右眼ＥＲまでの作動距離を一定に制御させると共に、検眼ユニット１６Ｌ，１６Ｒの光軸ＯＬ，ＯＲが被検眼の左眼ＥＬ及び右眼ＥＲの光軸とそれぞれ一致させることで、図２０に矢印８０，８１で示したように検眼ユニット１６Ｌ，１６Ｒの光軸ＯＬ，ＯＲは被検眼の左眼ＥＬ及び右眼ＥＲの回旋中心ＥＯＬ，ＥＯＲを中心にそれぞれ旋回することになる。以下、この様な制御を旋回制御と言う。
＜眼屈折力のラフ測定＞
そして、検眼ユニット１６Ｌの演算制御回路９０は、光軸ＯＬ，ＯＲが平行になるまで、上述の様な駆動装置２４，２６，２８の駆動制御して、検眼ユニット１６Ｌ，１６Ｒを旋回制御する。この際、演算制御回路９０は、液晶表示器５３が−６．５Ｄの位置まで雲霧させられるまで、パルスモータＰＭａの駆動制御して、移動レンズ５７を光軸方向に移動させる。しかも、演算制御回路９０は、この様な制御により光軸ＯＬ，ＯＲが平行になると共に、液晶表示器５３が−６．５Ｄの位置まで雲霧させられたとき、屈折力測定光学系３３Ｌの測定用光源６４をを点灯させて、左眼ＥＬの眼屈折力のラフ（粗い）な測定を行う。
【００７５】
これと共に検眼ユニット１６Ｒの演算制御回路９０は、光軸ＯＬ，ＯＲが平行になるまで、上述の様な駆動装置２４，２６，２８の駆動制御して、検眼ユニット１６Ｌ，１６Ｒを旋回制御する。この際、演算制御回路９０は、液晶表示器５３が−６．５Ｄの位置まで雲霧させられるまで、パルスモータＰＭａの駆動制御して、移動レンズ５７を光軸方向に移動させる。しかも、演算制御回路９０は、この様な制御により光軸ＯＬ，ＯＲが平行になると共に、液晶表示器５３が−６．５Ｄの位置まで雲霧させられたとき、屈折力測定光学系３３Ｒの測定用光源６４をを点灯させて、右眼ＥＲの眼屈折力のラフ（粗い）な測定を行う。
【００７６】
この様な測定において、左眼ＥＬの屈折力の値が例えば−６Ｄであり、右眼ＥＲの屈折力の値が例えば−５Ｄであったとすると、この値は左右眼ＥＬ，ＥＲとも調節力があるときの値であるかもしれない。
(ii)光軸ＯＬ，ＯＲの測定位置への輻輳状態から平行状態へ移動しての測定
＜測定位置への輻輳＞
従って、演算制御回路９１は、演算制御回路９０，９０を介して検眼ユニット１６Ｌ，１６Ｒの駆動装置２８，２８を個別に作動制御して、検眼ユニット１６Ｌ，１６Ｒを図９の状態から矢印Ａ，Ａの方向に個別に水平回動させて、図１６（ｂ）に▲２▼、▲２▼′で示したように光軸ＯＬ，ＯＲを独立に輻輳させると共に、検眼ユニット１６Ｌの移動レンズ５７を光軸方向に移動させて液晶表示器５３を図１６（ａ）の−６Ｄの位置に位置させ、検眼ユニット１６Ｒの液晶表示器５３を図１６（ａ）の−５Ｄの位置に位置させる。
【００７７】
この際、上述の「(i)初期位置への旋回制御」と同様に旋回制御して、検眼ユニット１６Ｌから右眼ＥＬまでの作動距離を一定にさせ、検眼ユニット１６Ｒから右眼ＥＲまでの作動距離を一定にさせると共に、検眼ユニット１６Ｌ，１６Ｒの光軸ＯＬ，ＯＲを被検眼の左眼ＥＬ及び右眼ＥＲの光軸とそれぞれ一致させる。
＜輻輳状態から光軸ＯＬ，ＯＲを平行状態へ＞
この輻輳状態から、左検眼ユニット１６Ｌの演算制御回路９０は、左検眼ユニット１６ＬのパルスモータＰＭａを駆動制御して、移動レンズ５７を光軸Ｏ方向に移動させ、検眼ユニット１６Ｌの液晶表示器５３を−６Ｄに１．５Ｄをプラスした−４．５Ｄの位置まで雲霧させる。一方、右検眼ユニット１６Ｒの演算制御回路９０は、左検眼ユニット１６ＲのパルスモータＰＭａを駆動制御して、移動レンズ５７を光軸Ｏ方向に移動させ、検眼ユニット１６Ｒの液晶表示器５３を−５Ｄに１．５Ｄをプラスした−３．５Ｄの位置まで雲霧させる。
【００７８】
この際、演算制御回路９１は、演算制御回路９０，９０を作動制御して、演算制御回路９０，９０により検眼ユニット１６Ｌ，１６Ｒの駆動装置２８，２８を駆動制御させ、検眼ユニット１６Ｌ，１６Ｒを図１７の矢印Ｂ，Ｂ方向に水平回動させる。この演算制御回路９０，９０による駆動装置２８，２８を駆動制御は、検眼ユニット１６Ｌ，１６Ｒの光軸ＯＬ，ＯＲが平行となるまで行わせる。しかも、この際、上述したように各演算制御回路９０は駆動装置２４及び２６を作動制御して、検眼ユニット１６Ｌ，１６Ｒの左眼ＥＬ及び右眼ＥＲまでの作動距離がそれぞれ一定となるように、且つ、検眼ユニット１６Ｌ，１６Ｒの光軸ＯＬ，ＯＲが被検眼の左眼ＥＬ及び右眼ＥＲの光軸とそれぞれ一致させられる様に制御する。これにより、光軸ＯＬ，ＯＲは被検眼の左眼ＥＬ及び右眼ＥＲの回旋中心ＥＯＬ，ＥＯＲを中心に旋回することになる。
＜眼屈折力のラフ測定＞
そして、検眼ユニット１６Ｌの演算制御回路９０は、光軸ＯＬ，ＯＲが平行になると共に、パルスモータＰＭａの駆動制御により、移動レンズ５７が光軸方向に移動させられて、液晶表示器５３が−４．５Ｄの位置まで雲霧させられたとき、屈折力測定光学系３３Ｌの測定用光源６４をを点灯させて、左眼ＥＬの眼屈折力のラフ（粗い）な測定を行う。
【００７９】
これと共に検眼ユニット１６Ｒの演算制御回路９０は、光軸ＯＬ，ＯＲが平行になると共に、パルスモータＰＭａの駆動制御により、移動レンズ５７が光軸方向に移動させられて、液晶表示器５３が−３．５Ｄの位置まで雲霧させられたとき、屈折力測定光学系３３Ｒの測定用光源６４をを点灯させて、左眼ＥＬの眼屈折力のラフ（粗い）な測定を行う。
【００８０】
この様な測定において、左眼ＥＬの屈折力の値が例えば−４Ｄであり、右眼ＥＲの屈折力の値が例えば−３Ｄであったとすると、この値は左右眼ＥＬ，ＥＲとも調節力があるときの値であるかもしれない。
(iii)．繰り返しラフ測定
この場合、左眼ＥＬにおいては、前回測定した眼屈折力の値が−６Ｄであり、今回測定した眼屈折力の値が−４Ｄであるので、前回と今回の眼屈折力の差が−２Ｄと大きく開いており、調節力が働いている。また、右眼ＥＲにおいては、前回測定した眼屈折力の値が−５Ｄであり、今回測定した眼屈折力の値が−３Ｄであるので、前回と今回の眼屈折力の差が−２Ｄと大きく開いており、調節力が働いている。
【００８１】
従って、この場合には上述の(ii)の様にして、図１６（ｂ）に▲３▼、▲３▼′で示したように光軸ＯＬ，ＯＲを独立に輻輳させて、検眼ユニット１６Ｌの移動レンズ５７を光軸方向に移動させて、検眼ユニット１６Ｌの液晶表示器５３を図１６（ａ）の−４Ｄの位置に位置させ、検眼ユニット１６Ｒの移動レンズ５７を光軸方向に移動させて、検眼ユニット１６Ｒの液晶表示器５３を図１６（ａ）の−３Ｄの位置に位置させる。
【００８２】
この輻輳状態から、(ii)の様にして、検眼ユニット１６Ｌの移動レンズ５７を光軸方向に移動させて、液晶表示器５３を−４Ｄに１．５Ｄをプラスした−２．５Ｄの位置まで雲霧させて、左眼ＥＬの眼屈折力のラフ（粗い）な測定を行うと共に、検眼ユニット１６Ｒの移動レンズ５７を光軸方向に移動させて、液晶表示器５３を−３Ｄに１．５Ｄをプラスした−１．５Ｄの位置まで雲霧させて、右眼ＥＲの眼屈折力のラフ（粗い）な測定を行う。
【００８３】
この様な測定において、左眼ＥＬの屈折力の値が例えば−３Ｄであり、右眼ＥＲの屈折力の値が例えば−１Ｄであったとすると、この値は左右眼ＥＬ，ＥＲとも調節力があるときの値であるかもしれない。
【００８４】
この場合、左眼ＥＬにおいては、前回測定した眼屈折力の値が−４Ｄであり、今回測定した眼屈折力の値が−３Ｄであるので、前回と今回の眼屈折力の差が−１Ｄと大きく開いており、調節力が働いている。また、右眼ＥＲにおいては、前回測定した眼屈折力の値が−３Ｄであり、今回測定した眼屈折力の値が−１Ｄであるので、前回と今回の眼屈折力の差が−２Ｄと大きく開いており、調節力が働いている。
【００８５】
従って、この場合には上述の(ii)の様にして、図１６（ｂ）に▲４▼、▲４▼′で示したように光軸ＯＬ，ＯＲを独立に輻輳させて、検眼ユニット１６Ｌの移動レンズ５７を光軸方向に移動させて、液晶表示器５３を図１６（ａ）の−３Ｄの位置に移動させ、検眼ユニット１６Ｒの移動レンズ５７を光軸方向に移動させて、液晶表示器５３を図１６（ａ）の−１Ｄの位置に移動させる。
【００８６】
この際、検眼ユニット１６Ｌ，１６Ｒを上述のように旋回制御することで、検眼ユニット１６Ｌ，１６Ｒの光軸ＯＬ，ＯＲが被検眼の左眼ＥＬ及び右眼ＥＲの光軸とそれぞれ一致させる。
【００８７】
この輻輳状態から、(ii)の様にして、検眼ユニット１６Ｌの移動レンズ５７を光軸方向に移動させて、液晶表示器５３を−３Ｄに１．５Ｄをプラスした−１．５Ｄの位置まで雲霧させて、左眼ＥＬの眼屈折力のラフ（粗い）な測定を行うと共に、検眼ユニット１６Ｒの移動レンズ５７を光軸方向に移動させて、液晶表示器５３を−１Ｄに１．５Ｄをプラスした０．５Ｄの位置まで雲霧させて、右眼ＥＲの眼屈折力のラフ（粗い）な測定を行う。
【００８８】
この様な測定において、左眼ＥＬの屈折力の値が例えば−２．７５Ｄであったとすると、左眼ＥＬの前回測定した眼屈折力の値が−３Ｄであるので、前回と今回の眼屈折力の差が−０．２５Ｄと略同じになっており、調節力が殆ど働いていない状態となる。また、この様な測定において、右眼ＥＲの屈折力の値が例えば−０．７５Ｄであったとすると、右眼ＥＲの前回測定した眼屈折力の値が−１Ｄであるので、前回と今回の眼屈折力の差が−０．２５と略同じになっており、調節力が殆ど働いていない状態となる。
(iV)．本測定
従って、この場合には上述の(ii)の様にして、光軸ＯＬ，ＯＲを独立に輻輳させて、検眼ユニット１６Ｌの移動レンズ５７を光軸方向に移動させて、液晶表示器５３を図１６（ａ）の−２．７５Ｄの位置に位置させ、検眼ユニット１６Ｒの移動レンズ５７を光軸方向に移動させて、液晶表示器５３を図１６（ａ）の−０．７５Ｄの位置に位置させる。
【００８９】
この輻輳状態から、(ii)の様にして、検眼ユニット１６Ｌの移動レンズ５７を光軸方向に移動させて、液晶表示器５３を−２．７５Ｄに１．５Ｄをプラスした−１．２５Ｄの位置まで雲霧させて、左眼ＥＬの眼屈折力の本測定を行うと共に、検眼ユニット１６Ｒの移動レンズ５７を光軸方向に移動させて、液晶表示器５３を−０．７５に１．５Ｄをプラスした０．７５Ｄの位置まで雲霧させて、右眼ＥＲの眼屈折力の本測定を行う。
（５）その他
以上説明した実施例では、ジョイステックレバー１２で検眼ユニット１６Ｌ、１６Ｒの駆動装置２０，２４，２６等を駆動制御するようにしたが、必ずしもこれに限定されるものではない。
【００９０】
たとえば、Ｙ方向駆動装置２０は設けずに、駆動装置２４，２６のみとして、カーソルキー９を操作することで駆動装置２４を正転駆動制御して、検眼ユニット１６Ｌ（１６Ｒ）を後方に移動させ、カーソルキー１１を操作することで駆動装置２４を逆転駆動制御して、検眼ユニット１６Ｌ（１６Ｒ）を前方に移動させる様にすると共に、カーソルキー８を操作することで駆動装置２６を正転駆動制御して、検眼ユニット１６Ｌ（１６Ｒ）を左方に移動させ、カーソルキー１０を操作することで駆動装置２６を逆転駆動制御して、検眼ユニット１６Ｌ（１６Ｒ）を右方に移動させる様にしても良い。この場合、Ｙ方向（上下方向）の高さは、テーブル１の高さ又は椅子３の高さを調節することで対応する。
【００９１】
また、図１１，図１３に示した光学系が図９では上下方向に配置されるので、光学系全体は前後に扁平なケース内に収納して、前後の幅を小さくできる。更に、本発明の前眼部を液晶表示器５３に表示させる構成は、アライメントを要する眼科装置、例えば自覚式検眼装置，眼底カメラや角膜内皮測定装置（角膜内皮撮影装置）等に応用（適用）できる。
【００９２】
更に、以上説明した実施例では、他覚的に被検眼の眼屈折力を求めるようにした構成を示したが、必ずしもこれに限定されるものではない。例えば、検眼ユニット１６Ｌ（１６Ｒ）の液晶表示器５３（５３）にランドルト環等を表示させて被検眼の眼屈折力を自覚的に求めさせるようにする構成とすることもできる。また、両眼視機能の測定のための表示を検眼ユニット１６Ｌ（１６Ｒ）の液晶表示器５３（５３）に表示させて、両眼視機能の測定ができるようにすることもできる。尚、これらの機能を全て組み込むこともできる。
【００９３】
【発明の効果】
以上説明したように、請求項１の発明は、被検者の左右の被検眼の機能を測定可能な左検眼ユニット及び右検眼ユニットと、前記各検眼ユニットをそれぞれ前記各被検眼に対し三次元方向に移動させる左駆動手段及び右駆動手段と、前記各検眼ユニットをそれぞれ前記各被検眼に対し、鉛直軸を中心に回転駆動される左水平回転装置及び右水平回転装置と、前記各駆動手段及び各水平回転装置を駆動制御して前記各被検眼に対するアライメントをする制御手段を有する検眼装置であって、前記制御手段は、前記一方の駆動手段により前記一方の検眼ユニットの一方の被検眼に対するアライメントが完了したとき、前記一方の駆動手段の駆動データに基づいて他方の駆動手段を駆動制御して、他方の検眼ユニットの他方の被検眼に対するアライメント行う構成としたので、被検者が左右の検眼ユニットの左右の被検眼に対するアライメントを容易に行うことができる。
【００９４】
また、請求項２の発明は、請求項１に記載の検眼装置において、前記制御手段は、前記両駆動手段による前記両検眼ユニットの左右の被検眼に対する同じ駆動量のアライメント操作に伴い、前記一方の駆動手段により前記一方の検眼ユニットの一方の被検眼に対するアライメントが完了したとき、前記一方の駆動手段の駆動データに基づいて他方の駆動手段を左右方向に所定範囲だけ駆動制御して、他方の検眼ユニットの他方の被検眼に対するアライメント行う構成としたので、両眼に対する各検眼ユニットのアライメント作業を迅速に行うことができる。
【００９５】
更に、請求項３の発明は、請求項１又は２に記載の検眼装置において、請求項１又は２に記載の検眼装置において、被検者情報に応じたＰＤ値のデータベースと、前記被検者情報を入力する情報入力手段を有すると共に、前記制御手段は、前記情報入力手段により入力される被検者情報がＰＤ値である場合、ＰＤ値に基づいて前記両駆動手段を駆動制御することにより、前記左検眼ユニット及び右検眼ユニットから被検眼に向かう光軸間の距離を前記入力されたＰＤ値に設定する構成としたので、測定したＰＤ値がある場合には、左右の検眼ユニットから左右の被検眼に向かう測定光軸間の距離を正確な瞳孔間距離に設定できる。
また、請求項４の発明は、請求項１又は２に記載の検眼装置において、被検者情報に応じたＰＤ値のデータベースと、前記被検者情報を入力する情報入力手段を有すると共に、前記制御手段は、前記情報入力手段から入力される被検者情報が年齢や性別である場合、前記年齢や性別に応じたＰＤ値を前記データベースから読み出して、該読み出したＰＤ値に基づいて前記両駆動手段を駆動制御することにより、前記左検眼ユニット及び右検眼ユニットから被検眼に向かう光軸間の距離を前記読み出したＰＤ値に設定する構成としたので、測定したＰＤ値がなく被検者情報として年齢や性別がある場合には、左右の検眼ユニットから左右の被検眼に向かう測定光軸間の距離を被検者の年齢や性別に応じて設定して、左右の検眼ユニットから左右の被検眼に向かう測定光軸間の距離を被検者の実際の瞳孔間距離に近づけることができる。これにより、被検者の正確な瞳孔間距離が分からなくても、或いは被検者の瞳孔間距離を測定する手段がなくても、左右の検眼ユニットから左右の被検眼に向かう測定光軸間の距離を被検者の実際の瞳孔間距離に近づけて、左右の検眼ユニットから左右の被検眼に向かう測定光軸を被検者左右眼に容易且つ迅速にアライメントできる。
【図面の簡単な説明】
【図１】この発明にかかる検眼装置の配置例を示す説明図である。
【図２】図１に示した検眼装置の拡大斜視図である。
【図３】図２の検眼装置の正面図である。
【図４】図３の検眼装置の平面図である。
【図５】図３の検眼装置の左側面図である。
【図６】図３の検眼装置の右側面図である。
【図７】図２に示した検眼ユニットの支持構造を示す断面図である。
【図８】図７に示した支持構造を下方から見た説明図である。
【図９】図２に示した検眼ユニットの光学系を示す説明図である。
【図１０】図７の左検眼ユニットの拡大説明図である。
【図１１】図１０の光学系を正面側から見たときの光学部品の配置図である。
【図１２】図７の右検眼ユニットの拡大説明図である。
【図１３】図１２の光学系を正面側から見たときの光学部品の配置図である。
【図１４】図２〜図１３に示した検眼装置の制御回路図である。
【図１５】図１〜図１４に示した検眼装置の遠方視状態における屈折力測定の説明図である。
【図１６】（ａ）、（ｂ）は、図１〜図１４に示した検眼装置の輻輳及び遠方視状態の繰り返しによる屈折力測定の説明図である。
【図１７】図１ないし図１３の検眼ユニットを輻輳した状態を示す光学系の説明図である。
【図１８】検眼ユニット内のＣＣＤへの結像例を示す説明図である。
【図１９】検眼ユニット内の液晶表示器の表示例を示す説明図である。
【図２０】検眼ユニットから被検眼に向かう光軸の旋回時の説明図である。
【符号の説明】
４・・・被検者
ＥＬ・・・左眼（被検眼）
ＥＲ・・・右眼（被検眼）
８，９，１０，１１・・・キー（被検者情報入力手段）
１２・・・ジョイステックレバー（被検者情報入力手段）
１６Ｌ・・・左検眼ユニット
１６Ｒ・・・右検眼ユニット
１８Ｌ・・・三次元駆動装置（左駆動手段）
１８Ｒ・・・三次元駆動装置（右駆動手段）
９０・・・制御回路（制御手段）
９１・・・演算制御回路（制御手段）
【図１】
0003808345.tif 000006
【図２】
0003808345.tif 000007
【図３】
0003808345.tif 000008
【図４】
0003808345.tif 000009
【図５】
0003808345.tif 000010
【図６】
0003808345.tif 000011
【図７】
0003808345.tif 000012
【図８】
0003808345.tif 000013
【図９】
0003808345.tif 000014
【図１０】
0003808345.tif 000015
【図１１】
0003808345.tif 000016
【図１２】
0003808345.tif 000017
【図１３】
0003808345.tif 000018
【図１４】
0003808345.tif 000019
【図１５】
0003808345.tif 000020
【図１６】
0003808345.tif 000021
【図１７】
0003808345.tif 000022
【図１８】
0003808345.tif 000023
【図１９】
0003808345.tif 000024
【図２０】
0003808345.tif 000025